(57)【要約】【課題】スポーツ用品、又は当該スポーツ用品に装着された装着ツールの外観に現れる使用の痕跡に基づいて、特徴情報を得る。【解決手段】情報処理装置３０に、使用後のインソール２０の画像を取得する画像取得ステップと、画像取得ステップで取得された画像に対し、マークＭの検出を行うことにより、インソール２０における損傷しやすい位置を特定する位置特定ステップと、位置特定ステップによって特定された位置を示す情報を特徴情報として出力する情報出力ステップとを実行させる。【選択図】図１
2020160029.tif 000002
【特許請求の範囲】
【請求項１】
スポーツ用品、及び前記スポーツ用品の使用者による使用方法の少なくとも一方に関する特徴情報を情報処理装置が出力する方法であって、
前記情報処理装置が、使用後の前記スポーツ用品、マークが付された状態の前記スポーツ用品又は前記スポーツ用品の使用中に当該スポーツ用品に装着された装着ツールの画像を取得する画像取得ステップと、
前記情報処理装置が、前記画像取得ステップで取得された画像に対し、変色箇所、変形箇所又は前記マークの検出を行うことにより、前記スポーツ用品における損傷しやすい位置を特定する位置特定ステップと、
前記情報処理装置が、前記位置特定ステップによって特定された位置に基づいて、前記特徴情報を出力する情報出力ステップとを実行することを特徴とする情報処理方法。
【請求項２】
請求項１に記載の情報処理方法において、
前記位置特定ステップにおいて、前記情報処理装置が、前記変色箇所の検出を、前記スポーツ用品の使用前における前記スポーツ用品又は前記装着ツールの画像を参照して行うことを特徴とする情報処理方法。
【請求項３】
請求項１又は２に記載の情報処理方法において、
前記特徴情報は、複数種類の前記スポーツ用品からいずれかを特定する情報であることを特徴とする情報処理方法。
【請求項４】
請求項１又は２に記載の情報処理方法において、
前記特徴情報は、前記位置特定ステップによって特定された位置を示す情報であることを特徴とする情報処理方法。
【請求項５】
請求項１〜４のいずれか１項に記載の情報処理方法において、
前記スポーツ用品は、シューズの構成部品であることを特徴とする情報処理方法。
【請求項６】
請求項１〜４のいずれか１項に記載の情報処理方法において、
前記スポーツ用品は、打撃用具であることを特徴とする情報処理方法。
【請求項７】
スポーツ用品、及び前記スポーツ用品の使用者による使用方法の少なくとも一方に関する特徴情報を出力する情報処理装置であって、
使用後の前記スポーツ用品、マークが付された状態の前記スポーツ用品又は前記スポーツ用品の使用中に当該スポーツ用品に装着された装着ツールの画像を取得する画像取得部と、
前記画像取得部で取得された画像に対し、変色箇所又は前記マークの検出を行うことにより、前記スポーツ用品における損傷しやすい位置を特定する位置特定部と、
前記位置特定部によって特定された位置に基づいて、前記特徴情報を出力する情報出力部とを備えたことを特徴とする情報処理装置。
【請求項８】
スポーツ用品、及び前記スポーツ用品の使用者による使用方法の少なくとも一方に関する特徴情報を情報処理装置に出力させるプログラムであって、
使用後の前記スポーツ用品、マークが付された状態の前記スポーツ用品又は前記スポーツ用品の使用中に当該スポーツ用品に装着された装着ツールの画像を取得する画像取得ステップと、
前記画像取得ステップで取得された画像に対し、変色箇所又は前記マークの検出を行うことにより、前記スポーツ用品における損傷しやすい位置を特定する位置特定ステップと、
前記位置特定ステップによって特定された位置に基づいて、前記特徴情報を出力する情報出力ステップとを上記情報処理装置に実行させることを特徴とする情報処理プログラム。
【発明の詳細な説明】
【技術分野】
【０００１】
本発明は、スポーツ用品、及び前記スポーツ用品の使用者による使用方法の少なくとも一方に関する特徴情報を出力する情報処理方法、情報処理装置、及び情報処理プログラムに関する。
【背景技術】
【０００２】
特許文献１には、マーカーを装着した状態で走行する被験者を撮影することにより得られた動画データに基づいて、被験者のランニングフォームに関する特徴情報を生成する情報処理装置が開示されている。
【先行技術文献】
【特許文献】
【０００３】
【特許文献１】特許第５３１４２２４号公報
【発明の概要】
【発明が解決しようとする課題】
【０００４】
ところで、スポーツ用品、又は当該スポーツ用品に装着された装着ツールの外観に現れる使用の痕跡に基づいて、特徴情報を得たいという要望がある。
【０００５】
本発明は、かかる点に鑑みてなされたものであり、その目的とするところは、スポーツ用品、又は当該スポーツ用品に装着された装着ツールの外観に現れる使用の痕跡に基づいて、特徴情報を得ることにある。
【課題を解決するための手段】
【０００６】
上記の目的を達成するため、本発明の第１の形態は、スポーツ用品、及び前記スポーツ用品の使用者による使用方法の少なくとも一方に関する特徴情報を情報処理装置が出力する方法であって、前記情報処理装置が、使用後の前記スポーツ用品、変色箇所及び変形箇所の少なくとも一方にマークが付された状態の前記スポーツ用品又は前記スポーツ用品の使用中に当該スポーツ用品に装着された装着ツールの画像を取得する画像取得ステップと、前記情報処理装置が、前記画像取得ステップで取得された画像に対し、変色箇所、変形箇所又は前記マークの検出を行うことにより、前記スポーツ用品における損傷しやすい位置を特定する位置特定ステップと、前記情報処理装置が、前記位置特定ステップによって特定された位置に基づいて、前記特徴情報を出力する情報出力ステップとを実行することを特徴とする。
【０００７】
この第１の形態では、スポーツ用品、又は当該スポーツ用品に装着された装着ツールの外観に現れる使用の痕跡、すなわち変色及び変形の少なくとも一方に基づいて、特徴情報を得られる。
【０００８】
また、情報処理装置が、スポーツ用品又は装着ツールの画像に基づいて特徴情報を生成でき、特徴情報の生成に動画データを使用する必要がないので、情報処理装置に設けられる記憶装置の記憶容量を削減できる。
【０００９】
本発明の第２の形態は、第１の形態において、前記位置特定ステップにおいて、前記情報処理装置が、前記変色箇所の検出を、前記スポーツ用品の使用前における前記スポーツ用品又は前記装着ツールの画像を参照して行うことを特徴とする。
【００１０】
この第２の形態では、変色箇所と、スポーツ用品の柄との色が類似している場合でも、変色箇所の適切な検出が可能になる。
【００１１】
本発明の第３の形態は、第１又は第２の形態において、前記特徴情報は、複数種類の前記スポーツ用品からいずれかを特定する情報であることを特徴とする。
【００１２】
この第３の形態では、提供者及び使用者が、特徴情報を参照することにより、使用者に適したスポーツ用品を認識できる。
【００１３】
本発明の第４の形態は、第１又は第２の形態において、前記特徴情報は、前記位置特定ステップによって特定された位置を示す情報であることを特徴とする。
【００１４】
この第４の形態では、提供者及び使用者が、特徴情報を参照することにより、スポーツ用品における損傷しやすい位置を認識できる。
【００１５】
本発明の第５の形態は、第１〜第４のいずれか１つの形態において、前記スポーツ用品は、シューズの構成部品であることを特徴とする。
【００１６】
この第５の形態では、提供者及び使用者が、シューズの構成部品及び当該構成部品の使用者による使用方法の少なくとも一方に関する特徴情報を取得できる。
【００１７】
本発明の第６の形態は、第１〜第４のいずれか１つの形態において、前記スポーツ用品は、打撃用具であることを特徴とする。
【００１８】
この第６の形態では、提供者及び使用者が、打撃用具、及び当該打撃用具の使用者による使用方法の少なくとも一方に関する特徴情報を取得できる。
【００１９】
本発明の第７の形態は、スポーツ用品、及び前記スポーツ用品の使用者による使用方法の少なくとも一方に関する特徴情報を出力する情報処理装置であって、使用後の前記スポーツ用品、マークが付された状態の前記スポーツ用品又は前記スポーツ用品の使用中に当該スポーツ用品に装着された装着ツールの画像を取得する画像取得部と、前記画像取得部で取得された画像に対し、変色箇所又は前記マークの検出を行うことにより、前記スポーツ用品における損傷しやすい位置を特定する位置特定部と、前記位置特定部によって特定された位置に基づいて、前記特徴情報を出力する情報出力部とを備えたことを特徴とする。
【００２０】
この第７の形態では、スポーツ用品、又は当該スポーツ用品に装着された装着ツールの外観に現れる使用の痕跡、すなわち変色及び変形の少なくとも一方に基づいて、特徴情報を得られる。
【００２１】
また、情報処理装置が、使用後のスポーツ用品又は装着ツールの画像に基づいて特徴情報を生成でき、特徴情報の生成に動画データを使用する必要がないので、情報処理装置に設けられる記憶装置の記憶容量を削減できる。
【００２２】
本発明の第８の形態は、スポーツ用品、及び前記スポーツ用品の使用者による使用方法の少なくとも一方に関する特徴情報を情報処理装置に出力させるプログラムであって、使用後の前記スポーツ用品、マークが付された状態の前記スポーツ用品又は前記スポーツ用品の使用中に当該スポーツ用品に装着された装着ツールの画像を取得する画像取得ステップと、前記画像取得ステップで取得された画像に対し、変色箇所又は前記マークの検出を行うことにより、前記スポーツ用品における損傷しやすい位置を特定する位置特定ステップと、前記位置特定ステップによって特定された位置に基づいて、前記特徴情報を出力する情報出力ステップとを上記情報処理装置に実行させることを特徴とする。
【００２３】
この第８の形態では、スポーツ用品、又は当該スポーツ用品に装着された装着ツールの外観に現れる使用の痕跡、すなわち変色及び変形の少なくとも一方に基づいて、特徴情報を得られる。
【００２４】
また、情報処理装置が、使用後のスポーツ用品又は装着ツールの画像に基づいて特徴情報を生成でき、特徴情報の生成に動画データを使用する必要がないので、情報処理装置に設けられる記憶装置の記憶容量を削減できる。
【発明の効果】
【００２５】
本発明によると、スポーツ用品、又は当該スポーツ用品に装着された装着ツールの外観に現れる使用の痕跡に基づいて、特徴情報を得られる。
【図面の簡単な説明】
【００２６】
【図１】本発明の実施形態１に係る情報処理装置を備えた情報処理システムの構成を示す図である。
【図２】本発明の実施形態１に係る情報処理装置を備えた情報処理システムを用いてインソールを使用者に提供する手順を示すフローチャートである。
【図３】マークが付された状態の使用後のインソールを撮影した画像を示す図である。
【図４】（ａ）は、撮影されたインソールを座標平面上に示す図であり、（ｂ）は、図４（ａ）のＡ線上におけるＲ値を示すグラフである。
【図５】特定されたインソールの輪郭を座標平面上に示す図である。
【図６】（ａ）は、インソールの輪郭の回帰直線を座標平面上に示す図であり、（ｂ）は、図６（ａ）で示される回帰直線の傾き分、インソールの輪郭を座標平面上で回転させた図である。
【図７】（ａ）は、インソールの輪郭のうち踵側略半分の内側部分の回帰直線を座標平面上に示す図であり、（ｂ）は、図７（ａ）で示される回帰直線の傾き分、図６（ｂ）に示されるインソールの輪郭を座標平面上で回転させた図である。
【図８】（ａ）は、撮影されたインソールの画像を示す図であり、（ｂ）は、図８（ａ）のＢ線上におけるＲ値を示すグラフであり、（ｃ）は、図８（ａ）のＢ線上におけるＢ値を示すグラフであり、（ｄ）は、図８（ａ）のＢ線上におけるＧ値を示すグラフである。
【図９】（ａ）は、撮影されたインソールの画像を示す図であり、（ｂ）は、図９（ａ）のＣ線上におけるＲ値を示すグラフであり、（ｃ）は、図９（ａ）のＣ線上におけるＢ値を示すグラフであり、（ｄ）は、図９（ａ）のＣ線上におけるＧ値を示すグラフである。
【図１０】撮影されたインソールの画像上において特定されたマークの位置を示す説明図である。
【図１１】図７（ｂ）で示されるインソールの輪郭に対応するマークの位置を座標平面上で示す説明図である。
【図１２】本発明の実施形態２に係る情報処理装置を備えた情報処理システムを用いて、特徴情報を取得する手順を示すフローチャートである。
【図１３】（ａ）は、使用後のバットを撮影した写真の二値化画像であり、（ｂ）は、図１３（ａ）の二値化画像に基づいて推定された打点位置の分布を示す表である。
【図１４】（ａ）は、３種類のバットの各部位における反発係数を示す表であり、（ｂ）は、図１４（ａ）の表に相当するグラフである。
【図１５】実施形態３の図１２相当図である。
【図１６】ステップ４０４で推定されたフェース面の輪郭を示す概略図である。
【図１７】使用後のゴルフクラブのヘッドのフェース面を撮影した写真の二値化画像である。
【図１８】使用後のゴルフクラブのヘッドのソール面に設けた３つの領域を示す説明図である。
【発明を実施するための形態】
【００２７】
以下、本発明の実施形態について図面に基づいて説明する。
【００２８】
（実施形態１）
図１は、情報処理システム１００の構成を示す。この情報処理システム１００は、撮影機能を有するスマートフォン１０と、スマートフォン１０により撮影された画像に基づいて、シューズの構成部品としてのインソール２０に関する特徴情報を生成する本発明の実施形態１に係る情報処理装置３０と、情報処理装置３０によって生成された特徴情報を出力する出力装置４０とを備えている。
【００２９】
スマートフォン１０は、カメラ１１を有し、ＵＳＢ（Universal Serial Bus）等の有線通信機能や無線ＬＡＮ（Local Area Network）等の無線通信機能によって、カメラ１１により撮影した画像を情報処理装置３０に送信できるように構成されている。情報処理装置３０は、ＣＰＵ（Central  Processing  Unit）、記憶装置、およびソフトウェア等を含み、たとえばＰＣ（パーソナルコンピュータ）により構成され、ＵＳＢ等の有線通信機能や無線ＬＡＮ等の無線通信機能によって、外部機器から情報を受信する機能を有している。出力装置４０は、たとえば、視覚的に情報を出力するモニタやプリンタにより構成される。なお、出力装置４０は、音声など視覚以外の態様で、または、視聴覚情報のように２以上の出力態様の組み合わせで、診断結果を出力してもよい。
【００３０】
次に、上述のように構成された情報処理システム１００を用いてインソール２０を使用者に提供する手順について、図２のフローチャートを参照して説明する。なお、この手順において、情報処理装置３０の機能は、光ディスク、メモリカード等の記録媒体に格納されたプログラム、又は通信機器を介してダウンロードされるプログラムをＣＰＵに実行させることにより実現される。また、この手順において、情報処理装置３０は、画像取得部、位置特定部、及び情報出力部の機能を果たす。
【００３１】
また、インソール２０は、エチレン／酢酸ビニル共重合体（ＥＶＡ）等で構成され、インソール２０の上面における後端部近傍には、ロゴマーク２１が白色で表示され、当該ロゴマーク２１を除くインソール２０の上面は、黒色になっている。
【００３２】
まず、ステップ（Ｓ）２０１では、提供者又は使用者が、使用後のインソール２０における最もすり減ってくぼんだ箇所（変形箇所）の上面に緑色の円形のマーク（シール）Ｍを付す。
【００３３】
次に、ステップ２０２において、提供者又は使用者が、スマートフォン１０のカメラ１１により、インソール２０の上面を撮影する。撮影は、インソール２０の上面にスマートフォン１０のカメラ１１を約５０ｃｍの間隔を空けて対向させ、インソール２０の背景を白色にした状態で、インソール２０のつま先が写真の上方に向くように行う。図３は、ステップ２０２における撮影で得られた画像を示す。なお、図３中、マークＭを点々模様の領域で示している。
【００３４】
次に、ステップ２０３において、スマートフォン１０が、インターネット通信機能や無線ＬＡＮの機能によって、ステップ２０２で撮影した画像を情報処理装置３０に送信する。 
【００３５】
そして、ステップ２０４において、情報処理装置３０が、インターネット通信機能や無線ＬＡＮの機能によって、ステップ２０３で送信された画像を受信して取得する。
【００３６】
次に、ステップ２０５において、ステップ２０４で受信した画像のＲＧＢ値を、情報処理装置３０が読み込む。例えば、ＲＧＢ値は、Ｍａｔｌａｂ（登録商標）のｉｍｒｅａｄ関数を用い、８ビット符号なし整数配列で読み込まれる。
【００３７】
次に、ステップ２０６において、情報処理装置３０が、撮影されたインソール２０の輪郭を座標平面上で特定する。詳しくは、座標平面上でＹ軸方向に延びる各直線上においてステップ２０５で読み込まれたＲ値、Ｇ値、Ｂ値のいずれか１つが大きく変動する点を、輪郭を構成する点として特定する。ここで、Ｙ軸は、踵から前足部に向かって徐々にＹ座標が大きくなるように延びている。図４（ａ）中、Ａは、Ｙ軸方向に延びる直線の１つを示す。直線Ａ上においては、図４（ｂ）にも示すように、ｙ座標の値がＹ１、Ｙ２となる点を、輪郭を構成する点として特定している。なお、輪郭を構成する点の特定は、図４（ｂ）に示すグラフの勾配が所定の閾値以上となる点を特定する方法等、既知のエッジ検出の手法を用いることにより行える。図５は、ステップ２０６において特定されたインソール２０の輪郭を座標平面上に示す。
【００３８】
次に、ステップ２０７において、情報処理装置３０が、ステップ２０６において特定されたインソール２０の輪郭を構成する点の重心（幾何中心）が原点に位置するようにインソール２０の輪郭を座標平面上で平行移動させる。図６（ａ）に、ステップ２０７における平行移動後のインソールの輪郭を示す。
【００３９】
次に、ステップ２０８において、情報処理装置３０が、ステップ２０７における平行移動後のインソール２０の輪郭を構成するすべての点に対し、直線回帰を行い、図６（ａ）に示す回帰直線を導き出す。そして、図６（ｂ）に示すように、図６（ａ）で示される回帰直線の傾き分、インソール２０の輪郭を座標平面上で回転させる。
【００４０】
次に、ステップ２０９において、情報処理装置３０が、ステップ２０８における回転後のインソール２０の輪郭のうち、踵側略半分の内側部分を構成するすべての点に対し、直線回帰を行い、図７（ａ）に示す回帰直線を導き出す。そして、図７（ｂ）に示すように、図７（ａ）で示される回帰直線の傾き分、インソール２０の輪郭を座標平面上で回転させる。
【００４１】
次に、ステップ２１０において、情報処理装置３０が、ステップ２０５で読み込んだ画像のＲＧＢ値のうち、座標平面上でＹ軸方向に延びる各直線におけるインソール２０の輪郭よりも内側の部分のＲＧＢ値をグラフ化する。そして、Ｒ値、Ｇ値、及びＢ値のいずれか１つが閾値ＴＨを超える一方、残りの２つが閾値ＴＨ以下となる領域を、マークＭの領域として特定（検出）する。ここで、閾値ＴＨは、２００に設定されるが、他の適切な値に設定してもよい。図８（ａ）中、Ｂは、Ｙ軸方向に延び、かつロゴマーク２１を通過する直線である。直線Ｂのインソール２０の輪郭よりも内側の部分では、図８（ｂ）〜図８（ｄ）に示すように、ロゴマーク２１に相当する箇所で、Ｒ値、Ｇ値、及びＢ値のすべてが、閾値ＴＨを超えている。図９（ａ）中、Ｃは、Ｙ軸方向に延び、かつマークＭを通過する直線である。直線Ｃのインソール２０の輪郭よりも内側の部分では、図９（ｂ）及び図９（ｃ）に示すように、マークＭに相当する箇所で、Ｒ値及びＢ値が閾値ＴＨ以下となっている。一方、図９（ｄ）に示すように、マークＭに相当する箇所では、Ｇ値が閾値ＴＨを超えている。
【００４２】
そして、ステップ２１１において、情報処理装置３０が、ステップ２１０で特定されたマークＭの領域のうち、Ｙ軸方向両端の距離が最大となる箇所のＹ軸方向両端の中点を、マークＭの位置として特定する。図１０中、Ｄ及びＥは、ステップ２１０で特定されたマークＭの領域のうち、Ｙ軸方向両端の距離が最大となる箇所のＹ軸方向両端を示し、Ｆは、Ｙ軸方向両端の中点を示す。
【００４３】
次に、ステップ２１２において、情報処理装置３０が、ステップ２１１で特定したマークＭの位置に対し、ステップ２０７、ステップ２０８、及びステップ２０９でインソール２０の輪郭に対して実施した平行移動及び回転を実施する。
【００４４】
そして、ステップ２１３において、情報処理装置３０が、ステップ２０９における回転後のインソール２０の輪郭に基づいて、図１１に示すように、当該輪郭の足幅で当該輪郭の足長分延びる枠ＦＬを作成する。そして、情報処理装置３０が、ステップ２１２における平行移動及び回転の実施後のマークＭの枠ＦＬ内における位置を、インソール２０における損傷しやすい位置として特定する。損傷には、劣化による損傷も含まれる。具体的には、マークＭと踵（枠ＦＬの下端）との足長方向の間隔が、足長の何％になるか、及びマークＭと内甲（枠ＦＬの左端）との足幅方向の間隔が、足幅の何％になるかを特定する。
【００４５】
次に、ステップ２１４において、情報処理装置３０が、ステップ２１３で特定した位置を示す情報を、特徴情報として出力する。そして、出力装置４０は、情報処理装置３０によって出力された特徴情報を出力する。
【００４６】
次に、ステップ２１５において、インソール２０の提供者が、ステップ２１４で出力された特徴情報を参照し、撮影されたインソール２０における特徴情報により示された位置を補強部材で補強する。補強部材は、ポリウレタン（ＰＵ：polyurethane）等のへたりにくい材料で構成される。
【００４７】
したがって、本実施形態１によると、使用後のインソール２０の外観に現れる使用の痕跡に基づいて特徴情報を取得できる。
【００４８】
情報処理装置３０が、使用後のインソール２０の画像に基づいて特徴情報を生成し、特徴情報の生成に動画データを使用する必要がないので、情報処理装置３０に設けられる記憶装置の記憶容量を削減できる。また、動画データを得るために、使用者に試験走行をして貰う手間が不要となる。
【００４９】
また、マークＭは、画像のＲＧＢ値に基づいて容易に検出できるので、マークＭを使用しない場合に比べ、損傷しやすい位置のより確実な特定を可能にできる。
【００５０】
（実施形態１の変形例）
なお、上記実施形態１では、情報処理装置３０が、ステップ２１３で特定した位置を示す情報を、特徴情報として出力したが、ステップ２１３で特定した位置に基づいて、インソール２０の使用者による使用方法の改善方法を示す情報を、特徴情報として出力するようにしてもよい。例えば、インソール２０が、ウォーキング用である場合には、使用者による歩き方（使用方法）の改善方法を示す情報を、特徴情報として出力するようにしてもよい。
【００５１】
また、上記実施形態１では、ステップ２１５において、インソール２０の提供者が、撮影されたインソール２０を補強したが、インソール本体と当該インソール本体の一部を補強する補強部材とを備えたインソール２０全体を新たに提供するようにしてもよい。かかる場合、インソール本体をエチレン／酢酸ビニル共重合体（ＥＶＡ）で構成するとともに、補強部材をポリウレタン等のへたりにくい材料で構成し、当該インソール本体における補強部材による補強箇所を、特徴情報により示された位置とすることにより、インソール２０の長寿命化を実現できる。
【００５２】
また、上記実施形態１では、情報処理装置３０がインソール２０の画像に基づいてインソール２０に関する特徴情報を出力したが、アウトソールの画像に基づいて、アウトソールにおける損傷しやすい位置を示す特徴情報を出力するようにしてもよい。そして、アウトソールの提供者が、撮影されたアウトソールにおける特徴情報により示された位置を補強するようにしてもよい。また、アウトソールの提供者が、特徴情報により示された位置が補強部材で補強されたアウトソール全体を新たに提供するようにしてもよい。アウトソール全体をゴムで構成する場合、補強部材を、補強部材以外の部分よりも耐摩耗性の優れたゴムで構成することにより、アウトソールの長寿命化を実現できる。
【００５３】
また、提供者又は使用者が、シューズのアッパーの破れた箇所及び損傷した箇所にマークＭを付した状態でアッパーを撮影し、情報処理装置３０が、撮影した画像に基づいて、アッパーにおける損傷しやすい位置を示す特徴情報を出力するようにしてもよい。そして、アッパーの提供者が、撮影されたアッパーにおける特徴情報により示された位置を補強するようにしてもよい。アッパーの補強方法としては、特徴情報により示された位置に樹脂コーティング剤を塗布する方法が挙げられる。また、アッパーの提供者が、特徴情報により示された位置に補強部材が重ねられたアッパー全体を新たに提供するようにしてもよい。
【００５４】
また、提供者又は使用者が、すり減ったクリーツにマークＭを付した状態でシューズの底面を撮影し、情報処理装置３０が、撮影した画像に基づいて、シューズの底面に設けられた複数の樹脂製のクリーツから損傷しやすいクリーツを特定する特徴情報を出力するようにしてもよい。そして、シューズの提供者が、特徴情報により特定されたクリーツを、先端の材料が他のクリーツよりも耐摩耗性の高い材料で構成されたクリーツに交換するようにしてもよい。また、シューズの提供者が、特徴情報により特定されたクリーツとして、先端の材料が他のクリーツよりも耐摩耗性の高い材料で構成されたクリーツを採用した新たなシューズを提供するようにしてもよい。損傷しやすい位置のクリーツの先端の材料としては、例えば、熱可塑性ポリウレタン（ＴＰＵ：Thermoplastic Polyurethane）を採用し、他のクリーツの先端の材料としては、ポリアミドエラストマーを採用できる。
【００５５】
なお、上記実施形態１では、マークＭを緑色としたが、赤色又は青色としてもよく、インソール２０と異なる色であればよい。マークＭを緑色、赤色又は青色とすることにより、ＲＧＢ値に基づくマークＭの位置の特定が容易になる。
【００５６】
また、インソール２０の上面にマークＭと同じ色の部分がある場合には、当該部分を黒色で塗りつぶすことにより、マークＭの位置の誤検出を防止できる。
【００５７】
また、上記実施形態１では、インソール２０の上面におけるロゴマーク２１を除く領域を黒色としたが、白色としてもよい。かかる場合、ステップ２０２の撮影時におけるインソール２０の背景を黒色とすることで、インソール２０の輪郭の特定が容易になる。また、インソール２０の上面におけるロゴマーク２１を除く領域を黒色及び白色以外の色としてもよい。かかる場合には、ステップ２０２の撮影時におけるインソール２０の背景を、インソール２０の外周部と異なる色とすることにより、インソール２０の輪郭の特定が可能になる。
【００５８】
（実施形態２）
本発明の実施形態２に係る情報処理装置３０を備えた情報処理システム１００は、図１２に示す手順により、打撃用具としてのバットに関する特徴情報を取得するのに用いられる。本実施形態２に係る情報処理装置３０の機能は、実施形態１の情報処理装置３０とは異なるプログラムをＣＰＵに実行させることにより実現される。
【００５９】
まず、ステップ３０１において、提供者又は使用者が、スマートフォン１０のカメラ１１により、使用後の黒色のバットの先端部分を撮影する。
【００６０】
次に、ステップ３０２において、スマートフォン１０が、インターネット通信機能や無線ＬＡＮの機能によって、ステップ３０１で撮影した画像を情報処理装置３０に送信する。
【００６１】
そして、ステップ３０３において、情報処理装置３０が、インターネット通信機能や無線ＬＡＮの機能によって、ステップ３０２で送信された画像を受信する。
【００６２】
次に、ステップ３０４において、情報処理装置３０が、ステップ３０３で受信した画像の二値化画像を生成（取得）する。図１３（ａ）は、ステップ３０４で生成される二値化画像を示す。
【００６３】
次に、ステップ３０５において、情報処理装置３０が、ステップ３０４で生成した二値化画像に対し、新品（使用前）のバットの二値化画像から増加した白色の画素（変色箇所）の検出を行う。そして、検出した白色の画素の分布を、打点位置の分布として推定する。具体的には、バットの先端部分を長手方向に分割した各部位について、各部位で増加した白色の画素の数が、増加した白色の全部の画素の数に対して占める割合を算出する。ここで参照される新品のバットの二値化画像は、情報処理装置３０によって予め記憶されている。図１３（ｂ）は、ステップ３０５で推定される打点位置の分布を示す。このように、打点位置の分布を推定するために、使用前のバットの二値化画像を参照するので、二値化画像において白色となる柄がバットに設けられた場合でも、打点位置の分布を適切に推定できる。
【００６４】
次に、ステップ３０６において、情報処理装置３０が、打点位置（増加した白色の画素の数）の割合が最も大きい部位を、バットにおける損傷しやすい位置として特定する。図１３（ｂ）中、ステップ３０６で特定された部位における打点位置の割合を○で囲んでいる。
【００６５】
次に、ステップ３０７において、情報処理装置３０が、３種類のバットＡ〜Ｃから、ステップ３０６で特定された部位の長手方向中央における反発係数が最も高いバットを選択する。そして、情報処理装置３０は、選択したバットを特定する情報を特徴情報として出力する。図１４（ａ）及び図１４（ｂ）は、バットＡ〜Ｃの各位置における反発係数を示す。先端からの長さが４．５〜５．５インチの部位がステップ３０６で特定された場合、バットＡ〜Ｃの先端から５インチの位置における反発係数は、順に、０．５０、０．５１、０．５２であるので、バットＣが選択される。そして、出力装置４０が、情報処理装置３０によって出力された特徴情報を出力する。これにより、使用者又は提供者は、出力装置４０により出力された特徴情報を取得することにより、使用者にとって最適なバットの種類を認識できる。
【００６６】
その他の情報処理システム１００の構成は、実施形態１と同じであるので、その詳細な説明を省略する。
【００６７】
（実施形態２の変形例）
上記実施形態２では、ステップ３０７において、情報処理装置３０が、３種類のバットＡ〜Ｃから、ステップ３０６で特定された部位における反発係数が最も高いバットを選択するようにしたが、反発係数の期待値が最も大きくなるバットを選択するようにしてもよい。反発係数の期待値は、バットの各部位の長手方向中央における反発係数と、ステップ３０５で算出された打点位置の割合との積の総和である。例えば、上記実施形態２のバットＡ〜Ｃの期待値は、順に０．４９２、０．５００、０．４９８であるので、期待値が最も高いバットＢが選択される。
【００６８】
また、上記実施形態２では、撮影した画像に対し、白色の画素の検出を行うことにより、バットにおける損傷しやすい位置を特定したが、実施形態１と同様に、白くなった箇所（変色箇所）にマークＭを付した状態でバットの撮影を行い、撮影した画像に対してマークＭの検出を行うことにより、損傷しやすい位置を特定するようにしてもよい。
【００６９】
また、上記実施形態２では、バットを撮影した画像に対し、変色箇所の検出を行ったが、変形箇所の検出を行い、検出した変形箇所を、損傷しやすい位置として特定するようにしてもよい。例えば、バットを撮影した画像におけるバットの輪郭のアール（丸みの半径）が急激に変動する箇所を、変形箇所として検出するようにしてもよい。
【００７０】
（実施形態３）
本発明の実施形態３に係る情報処理装置３０を備えた情報処理システム１００は、図１５に示す手順により、打撃用具としてのゴルフクラブに関する特徴情報を取得するのに用いられる。本実施形態３に係る情報処理装置３０の機能は、実施形態１の情報処理装置３０とは異なるプログラムをＣＰＵに実行させることにより実現される。
【００７１】
まず、ステップ４０１において、提供者又は使用者が、スマートフォン１０のカメラ１１により、使用後のゴルフクラブのヘッドのフェース面を撮影する。
【００７２】
次に、ステップ４０２において、スマートフォンが、インターネット通信機能や無線ＬＡＮの機能によって、ステップ４０１で撮影した画像を情報処理装置３０に送信する。
【００７３】
そして、ステップ４０３において、情報処理装置３０が、インターネット通信機能や無線ＬＡＮの機能によって、ステップ４０２で送信された画像を受信する。
【００７４】
次に、ステップ４０４において、ステップ４０３で受信した画像のＲＧＢ値を、情報処理装置３０が読み込み、読み込んだＲＧＢ値に基づいて、撮影されたフェース面の輪郭を推定する。図１６に、推定されたフェース面の輪郭ＯＬを示す。なお、輪郭ＯＬの推定は、既知のエッジ検出の手法により行える。
【００７５】
次に、ステップ４０５において、情報処理装置３０が、ステップ４０４で推定したフェース面の輪郭ＯＬに基づいて、フェース面の寸法データを取得する。寸法データは、例えば、フェース面の左右方向の幅（フェース面における左右方向に最も幅広な箇所の幅）、フェース面の上下方向の長さ（フェース面における上下方向に最も長い箇所の長さ）、及びフェース面の重心位置（図心）等を示すデータである。なお、ゴルフクラブがフェース面の輪郭ＯＬの検知が不可能なアイアン等である場合には、最も長いスコアラインの長さと、最上のスコアライン及び最下のスコアラインの長さの差分とに基づいてフェース面を推測することにより、寸法データを取得してもよい。
【００７６】
次に、ステップ４０６において、情報処理装置３０が、ステップ４０５で取得した寸法データと、複数種類のゴルフクラブの寸法データとの差分を算出する。複数種類のゴルフクラブの寸法データは、情報処理装置３０によって予め記憶されている。
【００７７】
次に、ステップ４０７において、情報処理装置３０が、ステップ４０６で算出された差分が最も小さくなるゴルフクラブを複数種類のゴルフクラブから特定し、特定したゴルフクラブを特定ゴルフクラブとする。
【００７８】
次に、ステップ４０８において、情報処理装置３０が、特定ゴルフクラブの商品名を出力装置４０に出力させる。使用者は、出力装置４０に出力された商品名を確認し、商品名が正しいこと、商品名が正しくないこと、及び商品名が正しいか否か不明であることのいずれか１つを示す入力を情報処理装置３０に対して行う。
【００７９】
次に、ステップ４０９において、情報処理装置３０が、ステップ４０８で行われた入力が商品名が正しくないことを示すものである場合には、ステップ４１０に進む一方、ステップ４０８で行われた入力が商品名が正しいこと、又は商品名が正しいか否か不明であることを示すものである場合には、ステップ４１２に進む。
【００８０】
ステップ４１０では、情報処理装置３０が、商品名が正しくないことを示す入力を情報処理装置３０が受け付けた回数が、１回であるか否かを判定し、１回である場合には、ステップ４１１に進む一方、２回以上である場合には、ステップ４１２に進む。
【００８１】
ステップ４１１では、情報処理装置３０が、ステップ４０６で算出された差分が２番目に（次に）小さくなるゴルフクラブを複数種類のゴルフクラブから特定し、特定したゴルフクラブを特定ゴルフクラブとし、ステップ４０８に進む。
【００８２】
ステップ４１２では、情報処理装置３０が、ステップ４０４で取得した寸法データに基づいて、フェース面の重心（図心）を、図１６に示すフェースセンターＦＣとして特定する。そして、フェースセンターＦＣを中心として、ステップ４０４で推定した輪郭ＯＬに囲まれた領域を、３行３列の９つの領域Ａ〜Ｉに分割する。最も上の行には、領域Ａ〜Ｃがシャフト側から順に並び、中央の行には、領域Ｄ〜Ｆがシャフト側から順に並び、最も下の行には、領域Ｇ〜Ｉがシャフト側から順に並んでいる。領域Ｂ，Ｅ，Ｈの左右方向の幅は、フェース面の左右方向の幅（フェース面における左右方向に最も幅広な箇所の幅）の１／３、領域Ｄ〜Ｆの上下方向の長さは、フェース面の上下方向の長さ（フェース面における上下方向に最も長い箇所の長さ）の１／３となる。次に、ステップ４１３において、情報処理装置３０が、ステップ４０３で受信した画像の二値化画像を生成（取得）する。図１７は、ステップ４１３で生成される二値化画像を示す。
【００８３】
次に、ステップ４１４において、情報処理装置３０が、ステップ４１３で生成した二値化画像に対し、使用前の特定ゴルフクラブの二値化画像から増加した白色の画素（変色箇所）の検出を行う。そして、各領域Ａ〜Ｉで検出された白色の画素の数を取得する。ここで参照される特定ゴルフクラブの二値化画像は、情報処理装置３０によって予め記憶されている。
【００８４】
最後に、ステップ４１５において、情報処理装置３０が、領域Ａ〜Ｉのうち、ステップ４１４で取得された白色の画素の数が最も多い領域を、損傷しやすい位置として特定し、特定した領域を示す情報を特徴情報として出力する。そして、出力装置４０が、情報処理装置３０によって出力された特徴情報を出力する。これにより、使用者及び提供者は、出力装置４０により出力された特徴情報を参照することにより、使用者のスイング（使用方法）には、特徴情報により示される位置にボールを当て易い傾向があることを認識できる。
【００８５】
その他の情報処理システム１００の構成は、実施形態１と同じであるので、その詳細な説明を省略する。
【００８６】
（実施形態３の変形例）
上記実施形態３では、情報処理装置３０が、領域Ａ〜Ｉから選択した領域を特定する情報を特徴情報として出力したが、各領域Ａ〜Ｉで検出された白色の画素の数に基づいて、使用者に適したゴルフクラブの重量を算出し、算出した重量を特定する情報を特徴情報として出力するようにしてもよい。より詳しくは、例えば、図１６における領域Ｂ（フェース上打点）で検出された白色の画素の数の割合が多い場合は、所定の重量（予め記憶された特定グラフクラブの重量等）よりも軽い重量を算出する一方、図１６における領域Ｈ（フェース下打点）で検出された白色の画素の数の割合が多い場合は、所定の重量（予め記憶された特定グラフクラブの重量等）よりも重い重量を算出するようにしてもよい。
【００８７】
また、上記実施形態３では、情報処理装置３０が、ゴルフクラブのヘッドのフェース面を撮影した画像に対して変色箇所の検出を行い、フェース面の領域Ａ〜Ｉから選択した領域を特定する情報を特徴情報として出力した。しかし、使用後のアイアンゴルフクラブのヘッドのソール面を撮影した画像に対して白色の画素（変色箇所）の検出を行い、ソール面に設けた複数の領域で検出された白色の画素の数に基づいて、使用者に適したゴルフクラブのライ角を算出し、算出したライ角を特徴情報として出力するようにしてもよい。例えば、図１８に示すように、ソール面に３つの領域Ｌ〜Ｎをヒール側から順に設けた場合、アイアンゴルフクラブのソールのヒール側（シャフト側）の領域Ｌで検出された白色の画素の数の割合（検出された全ての白色の画素の数に対して占める割合）が最も大きい場合には、領域Ｌを損傷しやすい位置として特定し、撮影されたアイアンゴルフクラブのライ角から所定値を減算した値を新たなライ角として出力する。その一方で、アイアンゴルフクラブのソールのトウ側（反シャフト側）の領域Ｎで検出された白色の画素の数の割合が最も大きい場合には、領域Ｎを損傷しやすい位置として特定し、撮影されたアイアンゴルフクラブのライ角に所定値を加算した値を新たなライ角として出力する。また、アイアンゴルフクラブのソールのセンター領域Ｍで検出された白色の画素の数の割合が最も大きい場合には、領域Ｍを損傷しやすい位置として特定し、撮影されたアイアンゴルフクラブのライ角をそのまま出力する。
【００８８】
また、上記実施形態３では、情報処理装置３０が、ゴルフクラブのフェース面におけるボールが良く当たる領域を特定する情報を、特徴情報として出力するようにしたが、ボールが良く当たる領域の反発係数が最も高いゴルフクラブ、又は反発係数の期待値が最も大きくなるゴルフクラブを複数種類のゴルフクラブから選択し、選択したゴルフクラブを特定する情報を、特徴情報として出力するようにしてもよい。
【００８９】
また、上記実施形態３では、フェース面における損傷しやすい位置の特定を、撮影した画像に対する白色の画素の検出により行ったが、撮影時に付されたマークＭの検出により行うようにしてもよい。
【００９０】
また、上記実施形態１〜３では、本発明をシューズ、バット、又はゴルフクラブに適用したが、本発明は、野球のグローブ等、他のスポーツ用品にも適用できる。本発明を野球のグローブに適用する場合には、情報処理装置３０に、野球のグローブにおける傷の多い箇所を、損傷しやすい位置として特定させ、特定した位置を示す情報を、特徴情報として出力させることができる。これにより、使用者又は提供者は、特徴情報を参照し、使用者の捕球動作の癖、及び使用者に提供するグローブにおいて強度が求められる箇所を知ることができる。
【００９１】
また、上記実施形態１〜３では、スポーツ用品における損傷しやすい位置の特定に、スポーツ用品自体の画像を用いたが、スポーツ用品の使用中に当該スポーツ用品に装着された装着ツールの画像を用いるようにしてもよい。例えば、装着ツールとして感圧紙を装着した状態でインソール、アウトソール、又はバットを使用し、使用後の感圧紙の画像と使用前の感圧紙の画像（外観データ）との差分に基づいて、圧力が大きく作用した位置を損傷しやすい位置として特定するようにしてもよい。
【００９２】
また、上記実施形態１〜３では、スポーツ用品における損傷しやすい位置の特定に、カメラ１１で撮影した画像を用いたが、スキャナから取り込んだ画像を用いてもよい。
【００９３】
また、上記実施形態１〜３では、情報処理装置３０が、スポーツ用品の画像の取得を、無線通信により行ったが、有線通信、又は記録媒体からの読み出しにより行ってもよい。
【００９４】
また、上記実施形態１〜３では、スマートフォン１０とは別に、情報処理装置３０を設けたが、本発明に係る情報処理装置３０の機能を、スマートフォン１０に持たせてもよい。つまり、本発明に係る情報処理装置３０の機能を、スマートフォン１０にアプリケーションプログラムを実行させることにより実現するようにしてよい。
【産業上の利用可能性】
【００９５】
本発明は、スポーツ用品、及び前記スポーツ用品の使用者による使用方法の少なくとも一方に関する特徴情報を出力する情報処理方法、情報処理装置、及び情報処理プログラムとして有用である。
【符号の説明】
【００９６】
２０      インソール（スポーツ用品、シューズの構成部品）
３０      情報処理装置（画像取得部、位置特定部、情報出力部）
Ｍ      マーク  
【図１】
2020160029.tif 000003
【図２】
2020160029.tif 000004
【図３】
2020160029.tif 000005
【図４】
2020160029.tif 000006
【図５】
2020160029.tif 000007
【図６】
2020160029.tif 000008
【図７】
2020160029.tif 000009
【図８】
2020160029.tif 000010
【図９】
2020160029.tif 000011
【図１０】
2020160029.tif 000012
【図１１】
2020160029.tif 000013
【図１２】
2020160029.tif 000014
【図１３】
2020160029.tif 000015
【図１４】
2020160029.tif 000016
【図１５】
2020160029.tif 000017
【図１６】
2020160029.tif 000018
【図１７】
2020160029.tif 000019
【図１８】
2020160029.tif 000020